【手続補正書】
【提出日】平成18年9月26日(2006.9.26)
【手続補正１】
【補正対象書類名】特許請求の範囲
【補正対象項目名】全文
【補正方法】変更
【補正の内容】
【特許請求の範囲】
【請求項１】
ユーザデータ領域において、少なくとも一つの欠陥領域を有する光記録媒体の管理方法であって、
置換データとして、前記光記録媒体のスペア領域において前記欠陥領域に記録されたデータを記録し、少なくとも一つの欠陥領域に欠陥エントリーを有する第１臨時欠陥リストを提供するステップと、
前記ユーザデータ領域内の付加欠陥領域に対して、蓄積臨時欠陥リストを記録するステップであって、前記蓄積臨時欠陥リストが、以前に記録された前記第１臨時欠陥リストおよび任意の付加欠陥リストに対する少なくとも一つの付加欠陥リストを含む、蓄積臨時欠陥リストを記録するステップと
を備えることを特徴とする光記録媒体の管理方法。
【請求項２】
前記記録媒体の臨時ディスク定義構造領域で、前記蓄積臨時欠陥リストに臨時ディスク定義構造情報としてアクセスするための情報を記録するステップをさらに備えることを特徴とする請求項１に記載の光記録媒体の管理方法。
【請求項３】
前記蓄積臨時欠陥リストおよび前記臨時ディスク定義構造情報は、前記光記録媒体の同一領域に記録されることを特徴とする請求項２に記載の光記録媒体の管理方法。
【請求項４】
前記蓄積臨時欠陥リストおよび前記臨時ディスク定義構造情報は、前記光記録媒体の臨時欠陥管理領域に記録されることを特徴とする請求項３に記載の光記録媒体の管理方法。
【請求項５】
ディスクの完了動作中に前記光記録媒体の特定の領域に分離されて提供される最終欠陥管理領域に、前記臨時ディスク定義構造情報および前記蓄積臨時欠陥リスト情報を記録するステップをさらに備えることを特徴とする請求項２に記載の光記録媒体の管理方法。
【請求項６】
ディスクの完了動作中に前記光記録媒体の特定の領域に分離されて提供される最終欠陥管理領域に、前記臨時ディスク定義構造情報および前記蓄積臨時欠陥リスト情報を記録するステップをさらに備えることを特徴とする請求項４に記載の光記録媒体の管理方法。
【請求項７】
前記それぞれの第１臨時欠陥リストおよび前記蓄積臨時欠陥リストは、前記それぞれの欠陥領域内のデータに関する管理情報を含むことを特徴とする請求項１に記載の光記録媒体の管理方法。
【請求項８】
前記管理情報は、各欠陥エントリーに対する置換データの第１物理セクター番号および各欠陥エントリーに対する欠陥領域の第１物理セクター番号を含むることを特徴とする請求項７に記載の光記録媒体の管理方法。
【請求項９】
前記光記録媒体のスペア領域は内部スペア領域および外部スペア領域を含み、前記欠陥領域に記録されたデータを記録するステップは、前記内部スペア領域および前記外部スペア領域のうち、少なくとも一方を用いることを特徴とする請求項１に記載の光記録媒体の管理方法。
【請求項１０】
前記蓄積臨時欠陥リストは、前記光記録媒体の少なくとも２領域に繰り返し記録されることを特徴とする請求項１に記載の光記録媒体の管理方法。
【請求項１１】
前記光記録媒体の少なくとも２領域は、前記光記録媒体のデータ領域およびリードイン領域の一部であることを特徴とする請求項１０に記載の光記録媒体の管理方法。
【請求項１２】
前記データ領域の一部は、前記光記録媒体の外部スペア領域と隣り合う領域であることを特徴とする請求項１１に記載の光記録媒体の管理方法。
【請求項１３】
前記光記録媒体の少なくとも２領域は、前記光記録媒体のデータ領域の先端および後端部であることを特徴とする請求項１０に記載の光記録媒体の管理方法。
【請求項１４】
前記光記録媒体のリードイン領域に、臨時ディスク定義構造情報を記録するステップをさらに備えることを特徴とする請求項１０に記載の光記録媒体の管理方法。
【請求項１５】
データ領域内の少なくとも一つのスペア領域と、
前記データ領域のユーザデータ領域内で少なくとも一つの欠陥領域の置換データを管理するための臨時欠陥管理領域と、
前記臨時欠陥管理領域内に保存された蓄積臨時欠陥リストであって、蓄積されて記録された前記少なくとも一つの欠陥領域の置換データに関する管理情報と、前記ユーザデータ領域の少なくとも一つの付加欠陥領域に関する置換データ用管理情報とを含む蓄積臨時欠陥リストと
を備えたことを特徴とする記録媒体。
【請求項１６】
前記記録媒体のリードイン領域内の臨時ディスク定義構造をさらに備え、
前記蓄積臨時欠陥リストにアクセスするための記録情報は、前記臨時ディスク定義構造内で臨時ディスク定義構造情報として保存されることを特徴とする請求項１５に記載の記録媒体。
【請求項１７】
前記蓄積臨時欠陥リストおよび前記臨時ディスク定義構造情報は、前記光記録媒体のリードイン領域に記録されることを特徴とする請求項１６に記載の記録媒体。
【請求項１８】
前記蓄積臨時欠陥リストおよび前記臨時ディスク定義構造情報は、前記光記録媒体の臨時欠陥管理領域に記録されることを特徴とする請求項１７に記載の記録媒体。
【請求項１９】
前記臨時ディスク定義構造情報と、最終欠陥定義構造情報として完了した前記蓄積臨時欠陥リストと、最終欠陥管理リストとをそれぞれ含む最終欠陥管理領域をさらに備えたことを特徴とする請求項１６に記載の記録媒体。
【請求項２０】
前記臨時ディスク定義構造情報と、最終欠陥定義構造情報として完了した前記蓄積臨時欠陥リストと、最終欠陥管理リストとをそれぞれ含む最終欠陥管理領域をさらに備えたことを特徴とする請求項１８に記載の記録媒体。
【請求項２１】
前記蓄積臨時欠陥リストの前記管理情報のそれぞれは、各欠陥エントリーに対する置換えデータの第１物理セクター番号および各欠陥エントリーに対する欠陥領域の第１物理セクター番号を含むことを特徴とする請求項１５に記載の記録媒体。
【請求項２２】
少なくとも一つのスペア領域は内部スペア領域および外部スペア領域を含み、少なくとも一つの欠陥領域に関する置換えデータは、前記内部スペア領域および前記外部スペア領域のうち少なくとも一方に位置することを特徴とする請求項１５に記載の記録媒体。
【請求項２３】
前記蓄積臨時欠陥リストは、前記記録媒体の少なくとも２領域に繰り返し記録されることを特徴とする請求項１５に記載の記録媒体。
【請求項２４】
前記記録媒体の少なくとも２領域は、前記記録媒体のデータ領域およびリードイン領域の一部であることを特徴とする請求項２３に記載の記録媒体。
【請求項２５】
前記データ領域の一部は、前記記録媒体の外部スペア領域と隣接する領域であることを特徴とする請求項２４に記載の記録媒体。
【請求項２６】
前記記録媒体の少なくとも２領域は、前記記録媒体のデータ領域の先端部および後端部であることを特徴とする請求項２４に記載の記録媒体。
【請求項２７】
臨時ディスク定義構造情報を保存するリードイン領域をさらに備えたことを特徴とする請求項２３に記載の記録媒体。
【請求項２８】
少なくとも一つの臨時欠陥管理領域と、データ領域におけるスペア領域とを有する光記録媒体を管理する装置であって、
置換データとして、前記光記録媒体のスペア領域の少なくとも一つの欠陥領域に記録されたデータを記録し、少なくとも一つの欠陥領域に対する欠陥エントリーを有する第１臨時欠陥リストを提供する手段と、
ユーザデータ領域内の付加欠陥領域に対する蓄積臨時欠陥リストを記録する手段であって、前記蓄積臨時欠陥リストが、以前に記録された第１欠陥リストおよび任意の付加欠陥領域に対する少なくとも一つの付加欠陥エントリーを含む、蓄積臨時欠陥リストを記録する手段と
備えたことを特徴とする光記録媒体の管理装置。